(57)【要約】【課題】撮影すべき一連の工程の撮影漏れを防止する。【解決手段】デジタルカメラ２０では、画像メモリ２８において撮影計画情報に基づいて撮影された撮影画像と、その撮影計画画像とが対応付けて記憶され、撮影画像を再生中に特定キーが押下されると、その撮影画像に対する撮影状況として撮影画像が撮影された工程の撮影計画情報に基づいて作成された撮影計画画像が表示部２３に表示される。また、特定キーによる指示に応じてＣＰＵ２１では各工程における撮影画像数がカウントされ、そのカウントされた撮影画像数に基づいて全工程における撮影状況又は指定された特定工程における撮影状況が表示される。【選択図】図２
2005136697.tif 000002
【特許請求の範囲】
【請求項１】
一連の工程に関する撮影計画情報を記憶する撮影計画記憶手段と、
各工程の撮影計画情報に対応する撮影対象の画像を撮影する撮影手段と、
前記撮影された撮影画像とその撮影画像が撮影された工程の撮影計画情報とを対応付けて記憶する画像記憶手段と、
前記画像記憶手段に記憶された撮影画像を表示する表示手段と、
指示に応じて、前記表示された撮影画像に対応する撮影計画情報を前記撮影計画記憶手段から取得し、当該撮影計画情報又は撮影画像に基づいて撮影画像における撮影状況を示す撮影状況情報を生成し、当該撮影状況情報を前記表示手段に表示させる制御手段と、
を備えることを特徴とする撮影装置。
【請求項２】
前記制御手段は、撮影画像の撮影状況情報として、当該撮影画像に対応する撮影計画情報に基づく撮影計画画像を作成して表示させることを特徴とする請求項１に記載の撮影装置。
【請求項３】
前記制御手段は、指示に応じて、撮影画像とその撮影画像に対応する撮影計画画像とを切り換えて表示させることを特徴とする請求項２に記載の撮影装置。
【請求項４】
前記制御手段は、指示に応じて、撮影画像とともに撮影計画画像の縮小画像を表示させることを特徴とする請求項２に記載の撮影装置。
【請求項５】
前記撮影計画情報には、各工程を特定する工程番号の情報が含まれ、
前記制御手段は、指示に応じて、撮影画像が撮影された工程の工程番号を撮影画像に対応する撮影計画情報から取得し、当該撮影画像とともにその取得された工程番号を表示させることを特徴とする請求項１に記載の撮影装置。
【請求項６】
一連の工程に関する撮影計画情報を記憶する撮影計画記憶手段と、
各工程における撮影計画情報と対応する撮影対象の画像を撮影する撮影手段と、
前記撮影された撮影画像とその撮影画像が撮影された工程の撮影計画情報とを対応付けて記憶する画像記憶手段と、
前記撮影画像を表示する表示手段と、
指示に応じて、前記撮影計画記憶手段に記憶された撮影計画情報又は前記画像記憶手段に記憶された撮影画像に基づいて、撮影計画された工程における撮影状況を示す撮影状況情報を生成し、当該撮影状況情報を前記表示手段に表示させる制御手段と、
を備えることを特徴とする撮影装置。
【請求項７】
前記制御手段は、撮影計画された全工程における撮影状況情報を生成して前記表示手段に表示させることを特徴とする請求項６に記載の撮影装置
【請求項８】
前記制御手段は、前記画像記憶手段に記憶された撮影画像に基づいて各工程における撮影画像数を計数し、全工程のうち１枚以上の撮影画像が画像記憶手段に記憶されている撮影済み工程の数を算出して、全工程の撮影状況情報として全工程のうち撮影済み工程が占める割合を表示させることを特徴とする請求項７に記載の撮影装置。
【請求項９】
前記撮影計画情報には、各工程を特定する工程番号の情報が含まれ、
前記制御手段は、前記画像記憶手段に記憶された撮影画像に基づいて各工程における撮影画像数を計数し、全工程のうち撮影画像が画像記憶手段に記憶されていない未撮影工程が有る場合、その未撮影工程の工程番号を撮影計画情報から取得し、全工程の撮影状況情報としてその未撮影工程の工程番号を前記表示手段に表示させることを特徴とする請求項７に記載の撮影装置。
【請求項１０】
前記制御手段は、全工程のうち撮影画像が画像記憶手段に記憶されていない未撮影工程が有る場合、その未撮影工程数を算出し、全工程の撮影状況として算出された未撮影工程数を表示させることを特徴とする請求項９に記載の撮影装置。
【請求項１１】
前記制御手段は、前記画像記憶手段に記憶された撮影画像に基づいて各工程における撮影画像数を計数し、全工程において１枚以上の撮影画像が画像記憶手段に記憶されている場合、全工程の撮影状況情報として全工程について撮影済みである旨を表示することを特徴とする請求項７に記載の撮影装置。
【請求項１２】
前記制御手段は、全工程のうち指定された特定工程における撮影状況情報を生成して前記表示手段に表示させることを特徴とする請求項６に記載の撮影装置。
【請求項１３】
前記制御手段は、指定された特定工程に対応する撮影画像が前記画像記憶手段に記憶されていない場合、その特定工程における撮影状況情報として指定された工程では撮影が行われていない旨を表示させることを特徴とする請求項１２に記載の撮影装置。
【請求項１４】
前記制御手段は、指定された特定工程に対応する撮影画像が前記画像記憶手段に１枚以上記憶されている場合、当該画像記憶手段に記憶された撮影画像に基づいてその特定工程に対応する撮影画像数を計数し、指定された特定工程における撮影状況情報として当該計数された撮影画像数を表示させることを特徴とする請求項１２に記載の撮影装置。
【請求項１５】
コンピュータに、
一連の工程に関する撮影計画情報を撮影計画記憶手段に記憶させる機能と、
各工程の撮影計画情報に対応する撮影対象の画像を撮影手段に撮影させる機能と、
前記撮影された撮影画像とその撮影画像が撮影された工程の撮影計画情報とを対応付けて画像記憶手段に記憶させる機能と、
前記画像記憶手段に記憶された撮影画像を表示手段に表示させる機能と、
指示に応じて、前記表示された撮影画像に対応する撮影計画情報を前記撮影計画記憶手段から取得し、当該撮影計画情報又は撮影画像に基づいて撮影画像における撮影状況を示す撮影状況情報を生成し、当該撮影状況情報を前記表示手段に表示させる機能と、
を実現させるためのプログラム。
【請求項１６】
コンピュータに、
一連の工程に関する撮影計画情報を撮影計画記憶手段に記憶させる機能と、
各工程における撮影計画情報と対応する撮影対象の画像を撮影手段に撮影させる機能と、
前記撮影された撮影画像とその撮影画像が撮影された工程の撮影計画情報とを対応付けて画像記憶手段に記憶させる機能と、
前記撮影画像を表示手段に表示させる機能と、
指示に応じて、前記計画記憶手段に記憶された撮影計画情報及び前記画像記憶手段に記憶された撮影画像に基づいて、撮影計画された工程における撮影状況を示す撮影状況情報を生成し、当該撮影状況情報を前記表示手段に表示させる機能と、
を実現させるためのプログラム。
【発明の詳細な説明】
【技術分野】
【０００１】
本発明は、工事現場や製造工場等において計画された一連の工程における作業状況の画像や、製造された生成物等の画像を撮影する撮影装置及びそのプログラムに関する。
【背景技術】
【０００２】
一般的に、公共事業等においては、工事に関する報告資料を作成して発注者に提出する必要が有るが、これらの報告資料として、工事現場における一連の工程をカメラで撮影した工事記録写真が使用されている。近年では、報告資料の作成作業の容易化が図られ、デジタルカメラを用いて撮影された工事記録画像の画像データを工程毎に管理するシステムが開発されている（例えば、特許文献１参照）。
【０００３】
作業工程の工程数は多数あるうえに、各工程で複数枚の工事記録画像が撮影されるので、ひとつの事業に対して管理される工事記録画像は大量となる。これを管理するために、上記システムでは、各工事記録画像の画像データにその撮影工程を示す情報等を対応付けて記録することが行われている。
【特許文献１】特開２００１−２４９８２号公報
【発明の開示】
【発明が解決しようとする課題】
【０００４】
しかしながら、従来のシステムでは、撮影された各工事記録画像の撮影工程が把握できるだけであり、多数ある工程の工事記録画像を撮影する場合、撮影漏れが発生することがあり、撮影時の管理を別途行う必要があった。漏れなく全ての工程で撮影を行うには、撮影すべき作業工程や撮影場所を示す管理資料を確認しつつ、さらにはオペレータが撮影を失念しないようにしなければならず、非常に煩雑な作業であった。
【０００５】
本発明の課題は、撮影すべき一連の工程の撮影漏れを防止することである。
【課題を解決するための手段】
【０００６】
請求項１に記載の発明は、撮影装置において、
一連の工程に関する撮影計画情報を記憶する撮影計画記憶手段と、
各工程の撮影計画情報に対応する撮影対象の画像を撮影する撮影手段と、
前記撮影された撮影画像とその撮影画像が撮影された工程の撮影計画情報とを対応付けて記憶する画像記憶手段と、
前記画像記憶手段に記憶された撮影画像を表示する表示手段と、
指示に応じて、前記表示された撮影画像に対応する撮影計画情報を前記撮影計画記憶手段から取得し、当該撮影計画情報又は撮影画像に基づいて撮影画像における撮影状況を示す撮影状況情報を生成し、当該撮影状況情報を前記表示手段に表示させる制御手段と、
を備えることを特徴とする。
【０００７】
請求項２に記載の発明は、請求項１に記載の撮影装置において、
前記制御手段は、撮影画像の撮影状況情報として、当該撮影画像に対応する撮影計画情報に基づく撮影計画画像を作成して表示させることを特徴とする。
【０００８】
請求項３に記載の発明は、請求項２に記載の撮影装置において、
前記制御手段は、指示に応じて、撮影画像とその撮影画像に対応する撮影計画画像とを切り換えて表示させることを特徴とする。
【０００９】
請求項４に記載の発明は、請求項２に記載の撮影装置において、
前記制御手段は、指示に応じて、撮影画像とともに撮影計画画像の縮小画像を表示させることを特徴とする。
【００１０】
請求項５に記載の発明は、請求項１に記載の撮影装置において、
前記撮影計画情報には、各工程を特定する工程番号の情報が含まれ、
前記制御手段は、指示に応じて、撮影画像が撮影された工程の工程番号を撮影画像に対応する撮影計画情報から取得し、当該撮影画像とともにその取得された工程番号を表示させることを特徴とする。
【００１１】
請求項６に記載の発明は、撮影装置において、
一連の工程に関する撮影計画情報を記憶する撮影計画記憶手段と、
各工程における撮影計画情報と対応する撮影対象の画像を撮影する撮影手段と、
前記撮影された撮影画像とその撮影画像が撮影された工程の撮影計画情報とを対応付けて記憶する画像記憶手段と、
前記撮影画像を表示する表示手段と、
指示に応じて、前記撮影計画記憶手段に記憶された撮影計画情報又は前記画像記憶手段に記憶された撮影画像に基づいて、撮影計画された工程における撮影状況を示す撮影状況情報を生成し、当該撮影状況情報を前記表示手段に表示させる制御手段と、
を備えることを特徴とする。
【００１２】
請求項７に記載の発明は、請求項６に記載の撮影装置において、
前記制御手段は、撮影計画された全工程における撮影状況情報を生成して前記表示手段に表示させることを特徴とする。
【００１３】
請求項８に記載の発明は、請求項７に記載の撮影装置において、
前記制御手段は、前記画像記憶手段に記憶された撮影画像に基づいて各工程における撮影画像数を計数し、全工程のうち１枚以上の撮影画像が画像記憶手段に記憶されている撮影済み工程の数を算出して、全工程の撮影状況情報として全工程のうち撮影済み工程が占める割合を表示させることを特徴とする。
【００１４】
請求項９に記載の発明は、請求項７に記載の撮影装置において、
前記撮影計画情報には、各工程を特定する工程番号の情報が含まれ、
前記制御手段は、前記画像記憶手段に記憶された撮影画像に基づいて各工程における撮影画像数を計数し、全工程のうち撮影画像が画像記憶手段に記憶されていない未撮影工程が有る場合、その未撮影工程の工程番号を撮影計画情報から取得し、全工程の撮影状況情報としてその未撮影工程の工程番号を前記表示手段に表示させることを特徴とする。
【００１５】
請求項１０に記載の発明は、請求項９に記載の撮影装置において、
前記制御手段は、全工程のうち撮影画像が画像記憶手段に記憶されていない未撮影工程が有る場合、その未撮影工程数を算出し、全工程の撮影状況として算出された未撮影工程数を表示させることを特徴とする。
【００１６】
請求項１１に記載の発明は、請求項７に記載の撮影装置において、
前記制御手段は、前記画像記憶手段に記憶された撮影画像に基づいて各工程における撮影画像数を計数し、全工程において１枚以上の撮影画像が画像記憶手段に記憶されている場合、全工程の撮影状況情報として全工程について撮影済みである旨を表示することを特徴とする。
【００１７】
請求項１２に記載の発明は、請求項６に記載の撮影装置において、
前記制御手段は、全工程のうち指定された特定工程における撮影状況情報を生成して前記表示手段に表示させることを特徴とする。
【００１８】
請求項１３に記載の発明は、請求項１２に記載の撮影装置において、
前記制御手段は、指定された特定工程に対応する撮影画像が前記画像記憶手段に記憶されていない場合、その特定工程における撮影状況情報として指定された工程では撮影が行われていない旨を表示させることを特徴とする。
【００１９】
請求項１４に記載の発明は、請求項１２に記載の撮影装置において、
前記制御手段は、指定された特定工程に対応する撮影画像が前記画像記憶手段に１枚以上記憶されている場合、当該画像記憶手段に記憶された撮影画像に基づいてその特定工程に対応する撮影画像数を計数し、指定された特定工程における撮影状況情報として当該計数された撮影画像数を表示させることを特徴とする。
【００２０】
請求項１５に記載の発明は、
コンピュータに、
一連の工程に関する撮影計画情報を撮影計画記憶手段に記憶させる機能と、
各工程の撮影計画情報に対応する撮影対象の画像を撮影手段に撮影させる機能と、
前記撮影された撮影画像とその撮影画像が撮影された工程の撮影計画情報とを対応付けて画像記憶手段に記憶させる機能と、
前記画像記憶手段に記憶された撮影画像を表示手段に表示させる機能と、
指示に応じて、前記表示された撮影画像に対応する撮影計画情報を前記撮影計画記憶手段から取得し、当該撮影計画情報又は撮影画像に基づいて撮影画像における撮影状況を示す撮影状況情報を生成し、当該撮影状況情報を前記表示手段に表示させる機能と、
を実現させるためのプログラムであることを特徴とする。
【００２１】
請求項１６に記載の発明は、
コンピュータに、
一連の工程に関する撮影計画情報を撮影計画記憶手段に記憶させる機能と、
各工程における撮影計画情報と対応する撮影対象の画像を撮影手段に撮影させる機能と、
前記撮影された撮影画像とその撮影画像が撮影された工程の撮影計画情報とを対応付けて画像記憶手段に記憶させる機能と、
前記撮影画像を表示手段に表示させる機能と、
指示に応じて、前記撮影計画記憶手段に記憶された撮影計画情報及び前記画像記憶手段に記憶された撮影画像に基づいて、撮影計画された工程における撮影状況を示す撮影状況情報を生成し、当該撮影状況情報を前記表示手段に表示させる機能と、
を実現させるためのプログラムであることを特徴とする。
【発明の効果】
【００２２】
請求項１、１５に記載の発明によれば、撮影画像とその撮影された工程に係る撮影計画情報とを対応付けて記憶しておき、記憶された撮影画像又は撮影計画情報に基づいて撮影画像に対する撮影状況情報を表示するので、オペレータは撮影画像が一連工程のうち、何れかの工程で撮影済みであることを確認することができる。従って、撮影画像に対する撮影状況を容易に把握することができ、一連の工程における撮影漏れを防止することができる。
【００２３】
請求項２に記載の発明によれば、撮影画像の撮影状況情報として撮影画像に対応する撮影計画情報に基づいて撮影計画画像を作成し表示するので、オペレータはその撮影画像が撮影された工程に関する情報を容易に得ることができる。
【００２４】
請求項３に記載の発明によれば、撮影画像と撮影計画画像を切り換えて表示するので、撮影計画画像を表示手段の表示領域全面に表示させることができ、オペレータが撮影計画画像を視覚的に確認しやすい画面構成を適用することができる。
【００２５】
請求項４に記載の発明によれば、撮影画像とともに撮影計画画像の縮小画像を表示するので、オペレータは撮影画像と撮影計画画像との両方を一度に確認することができる。
【００２６】
請求項５に記載の発明によれば、撮影画像とともにその撮影画像が撮影された工程の工程番号を表示するので、この工程番号により、オペレータは撮影画像が撮影された工程を容易に把握することができる。
【００２７】
請求項６、１６に記載の発明によれば、撮影画像とその撮影された工程に係る撮影計画情報とを対応付けて記憶しておき、記憶された撮影画像又は撮影計画情報に基づいて撮影計画された工程における撮影状況情報を表示するので、オペレータは一連工程のうち、未撮影の工程の有無を確認することができる。従って、撮影計画された工程に対する撮影状況を容易に把握することができ、一連の工程における撮影漏れを防止することができる。
【００２８】
請求項７に記載の発明によれば、撮影計画された全工程における撮影状況情報を表示するので、一連の工程における撮影漏れを総括的に確認することができる。
【００２９】
請求項８に記載の発明によれば、全工程の撮影状況情報として、全工程のうち撮影済み工程が占める割合を表示するので、オペレータは全工程における未撮影の工程の有無を確認することができるとともに、撮影作業の進捗状況を把握することができる。
【００３０】
請求項９に記載の発明によれば、全工程の撮影状況情報として、未撮影工程の工程番号を表示するので、オペレータは撮影すべき工程を容易に把握することができる。
【００３１】
請求項１０に記載の発明によれば、未撮影の工程が有る場合、その未撮影工程数を表示するので、オペレータは撮影すべき工程数を容易に把握することができる。
【００３２】
請求項１１に記載の発明によれば、全工程について撮影画像が１枚以上記憶されている場合、全工程の撮影状況情報として全工程について撮影済みである旨を表示するので、オペレータは撮影漏れなく撮影作業が完了したことを容易に把握することができる。
【００３３】
請求項１２に記載の発明によれば、全工程のうち指定された特定工程における撮影状況情報を表示するので、オペレータが撮影状況を知りたい工程を指定することにより、その工程における撮影状況を容易に確認することができる。
【００３４】
請求項１３に記載の発明によれば、特定工程において撮影画像が記憶されていない場合、特定工程における撮影状況情報として、指定された工程では撮影が行われていない旨を表示するので、オペレータは指定した工程において撮影済みか否かを容易に確認することができる。
【００３５】
請求項１４に記載の発明によれば、特定工程において１枚以上撮影画像が記憶されている場合、特定工程における撮影状況情報として、その工程における撮影画像数を表示するので、オペレータは指定した工程において撮影済みか否かを容易に確認することができるとともに、その撮影枚数を確認することができる。特にその工程で撮影すべき枚数が規定されている場合は撮影枚数を確認することにより、規定枚数に達したか否かを確認することができる。
【発明を実施するための最良の形態】
【００３６】
〈第１の実施の形態〉
第１の実施の形態では、撮影計画情報に基づいて撮影された撮影画像と、その撮影計画画像とを対応付けて記憶し、撮影画像を再生中に特定キーが押下されると、その撮影画像に対する撮影状況として撮影画像が撮影された工程の撮影計画情報に基づいて作成された撮影計画画像を表示する例と、特定キーによる指示に応じて各工程における撮影画像数を計数し、その計数された撮影画像数に基づいて全工程における撮影状況又は指定された特定工程における撮影状況を表示する例を説明する。
【００３７】
まず、構成を説明する。
図１に、第１の実施の形態における撮影システム１００のシステム構成を示す。
図１に示すように、撮影システム１００は、パーソナルコンピュータ（以下、ＰＣ；Personal Computerという。）１０、本発明に係る撮影装置であるデジタルカメラ２０から構成され、ＰＣ１０とデジタルカメラ２０とはクレードル３０を介して相互にデータ通信が可能に接続されている。なお、ＰＣ１０及びデジタルカメラ２０に、無線通信手段を備えてデータ通信を無線で行うこととしてもよい。
【００３８】
ＰＣ１０は、オペレータからの指示に応じて、一連の工程に関する撮影計画情報を作成するものであり、キーボード、マウス等の操作手段、ＬＣＤ（Liquid Crystal Display）等の表示手段、ＣＰＵ（Central Processing Unit）等の制御手段、ＲＯＭ（Read Only Memory）、ＲＡＭ（Random Access Memory）等の記憶手段を備えて構成される。
【００３９】
ＰＣ１０は、作成された撮影計画情報をクレードル３０を介して接続されるデジタルカメラ２０に送信する。また、デジタルカメラ２０から撮影計画情報に基づいて撮影された撮影画像ファイル群を受信して保存する。
【００４０】
デジタルカメラ２０は、ＰＣ１０から送信された撮影計画情報に基づいて各工程で撮影を行い、得られた撮影画像の画像データと撮影が行われた工程に対応する撮影計画情報とを対応付けて画像ファイルとして記録するものである。そして、その撮影画像ファイル群をクレードル３０を介して接続されるＰＣ１０に送信する。なお、本実施の形態では、撮影装置としてデジタルカメラを適用した例を説明するが、例えば動画を撮影するデジタルビデオカメラ等を適用することとしてもよい。
【００４１】
図２に、デジタルカメラ２０の内部構成を示す。
図２に示すように、デジタルカメラ２０は、ＣＰＵ２１、入力部２２、表示部２３、Ｉ／Ｆ（InterFace）２４、ＲＡＭ２５、記憶部２６、撮影部２７、画像メモリ２８を備えて構成され、Ｉ／Ｆ２４を介してクレードル３０と接続される。
【００４２】
ＣＰＵ２１は、記憶部２６に格納されるシステムプログラムの他、本発明に係る撮影処理プログラム（図９参照）、画像チェック処理プログラム（図１０参照）、工程チェック処理プログラム（図１２参照）等をＲＡＭ２５に展開して、当該プログラムとの協働により処理動作を統括的に制御する。
【００４３】
ＣＰＵ２１は、ＰＣ１０から送信された撮影計画情報に基づいて工程毎の撮影計画を示す撮影計画画像を作成し、記憶部２６に保存させる。そして、撮影前に撮影対象の工程を選択する工程選択モードが指定されると、各工程に対応する撮影計画画像を選択可能に表示部２３に表示させ、撮影対象の工程を選択させる。
【００４４】
撮影処理では、撮影部２７の撮影動作を制御し、撮影された撮影画像の画像ファイルを作成して画像メモリ２８に記憶させるとともに、工程選択モードでオペレータにより選択された工程の工程番号をその画像ファイルに書き込む。
【００４５】
また、画像チェック処理では、撮影画像の再生表示モードにおいて撮影画像を再生表示中に入力部２２を介して特定キーが押下されると、その再生表示中の撮影画像の画像ファイルから撮影工程番号を読み出し、当該撮影工程番号又は撮影工程番号に対応する撮影計画画像を表示部２３に表示させる。
【００４６】
さらに、工程チェック処理では、工程における撮影状況を確認する工程チェックモードにおいて、指定された特定工程の撮影計画画像を表示中に入力部２２を介して特定キーが押下されると、画像メモリ２８から撮影画像ファイルを順に読み出して、各工程における撮影画像数をカウント（計数）してＲＡＭ２５のカウントテーブル（後述する）に記憶させる。そして、計数された各工程の撮影画像数に基づいて全工程数Ｓのうち１枚以上撮影画像が有る撮影済みの工程数Ｍが占める割合Ｍ／Ｓを算出して全工程における撮影状況として表示部２３に表示させるとともに、特定キー押下時に撮影計画画像が表示されていた特定工程における撮影画像数Ｇを取得し、指定された特定工程における撮影状況として撮影画像数Ｇを表示させる。
【００４７】
すなわち、画像チェック処理プログラム及び工程チェック処理プログラムにより、制御手段を実現することができる。
【００４８】
入力部２２は、図３に示すように、デジタルカメラ２０の上面に電源スイッチｋ１、シャッターキーｋ２、その背面に上下左右を選択するためのカーソルキーｋ３、撮影モード（以下、これをＲＥＣモードという。）、再生表示モード（以下、これをＰＬＡＹモードという。）を切り換えるモードキーｋ４、割り当てられた機能を発揮するＳＥＴキーｋ５、ＤＩＳＰキーｋ５等の各種機能キー等のキー群を備えて構成され、その各キー操作に応じた操作信号をＣＰＵ２１に出力する。
【００４９】
表示部２３は、図３に示すように、デジタルカメラ２０の背面にＬＣＤ２３ａを備えて構成される表示手段であり、ＣＰＵ２１から入力される指示に従って、ディスプレイ画面上に撮影画像や、撮影計画画像、撮影状況を通知する状況通知画面等の各種操作画面を表示する。
【００５０】
Ｉ／Ｆ２４は、クレードル３０と接続するためのインターフェイスであり、クレードル３０を介してＰＣ１０とデジタルカメラ２０との間で、データの送受信を行う。
【００５１】
ＲＡＭ２５は、ＣＰＵ２１によって実行される各種プログラム及びこれらプログラムに係るデータを一時的に記憶するワークエリアを形成する。
【００５２】
また、ＲＡＭ２５は、各工程で撮影された撮影画像のカウント数のデータを格納するためのカウントテーブル２５１を有している。
カウントテーブル２５１には、図４に示すように、撮影計画された各工程の工程番号（例えば、“１”、“２”、“３”・・・“４３” ・・・等）と、その工程番号の工程において撮影された撮影画像のカウント数（例えば、“１”、 “２”、 “０”・・・“２” ・・・等）とが対応付けて格納されている。
【００５３】
記憶部２６は、磁気的又は光学的記録媒体、若しくは半導体メモリで構成され、システムプログラムの他、撮影処理プログラム、画像チェック処理プログラム、工程チェック処理プログラム及び各プログラムで処理されたデータ等を記憶する。
【００５４】
また、記憶部２６は、ＰＣ１０から送信された撮影計画情報を格納するための撮影計画テーブル２６１を備えた撮影計画記憶手段であり、この撮影計画情報に基づいて作成された撮影計画画像の画像ファイル群を格納している。
【００５５】
撮影計画テーブル２６１には、図５に示すように、工程毎にその撮影計画情報が格納され、工程番号、工事件名（例えば、“道路工事”等）、工事におけるその工程の区分（例えば、“出来形管理”等）、工種（例えば、“道路土工”等）、種別（例えば、“掘削工”等）、項目（例えば、“土砂掘削”等）、時期（例えば、“施行中”等）、その工程における撮影箇所（例えば、“掘削部分”等）、撮影枚数（例えば、“１”枚等）、そしてその工程におけるコメントが有ればコメントのデータが対応付けて格納される。
【００５６】
撮影計画画像は、各工程における撮影計画を示す画像、例えば撮影計画テーブル２６１に格納された工程番号、その工程の区分、工種、種別、項目、時期等を一覧できるテキスト画像であり、図５に示すように、その画像ファイルには撮影計画画像の工程を示す工程番号が書き込まれ、この工程番号により画像ファイル群が管理される。
【００５７】
撮影部２７は、撮像用の光学レンズユニット、ＣＣＤ（Charge Coupled Device）等からなる光電変換ユニット、Ａ／Ｄ変換回路等により構成される撮影手段であり、入力部２２のシャッターキーの押下操作に応じてＣＰＵ２１から入力される撮影指示により、光学レンズユニットを介して入力される撮影対象の光学像を取り込んで撮影し、光電変換ユニットによりその撮影画像（アナログ信号）を生成する。そして、Ａ／Ｄ変換回路により生成されたアナログ撮影画像信号をデジタル変換してデジタル撮影画像データを得る。
【００５８】
画像メモリ２８は、撮影部２７により撮影された撮影画像データの画像ファイル群を格納する画像記憶手段である。図６に示すように、各画像ファイルには撮影画像が撮影された工程を特定する撮影工程番号が書き込まれ、この撮影工程番号により撮影計画テーブル２６１に格納されている撮影計画情報と対応付けられている。なお、画像メモリ２８として、デジタルカメラ２０に内蔵のメモリであってもよし、デジタルカメラ２０に着脱可能な記録媒体、例えばカード型、スティック型等の携帯用の各種記録媒体を適用することとしてもよい。
【００５９】
クレードル３０は、デジタルカメラ２０を装着する装着部とケーブル等から構成され、ケーブルを介してＰＣ１０に接続される。クレードル３０は、クレードル３０に装着されたデジタルカメラ２０とＰＣ１０間でデータの送受信を制御する。また、ＡＣ電源との接続端子を備え、デジタルカメラ２０の充電を行う。
【００６０】
次に、第１の実施の形態における動作を説明する。
最初に、撮影システム１００において、ＰＣ１０で撮影計画情報を作成し、その撮影計画情報をデジタルカメラ２０に転送するまでの処理について説明する。
【００６１】
ＰＣ１０では、撮影計画情報を作成するための図７に示すような設定画面が表示手段上に表示される。図７に示すように、設定画面では、工事件名、工事番号、発注年度等の工事に関する各項目情報を入力するための入力領域Ｒ１が表示され、その下部にはその工事における作業工程を特定するために、区分、工種、種別、項目、撮影枚数、撮影箇所、コメント等の作業工程に関する各種項目情報を入力するための入力領域Ｒ２が表示される。
【００６２】
オペレータは、ＰＣ１０の操作手段を介して、工事に関する各種項目情報及び設定したい作業工程についての各種項目情報を該当する入力領域に入力する。
ＰＣ１０では、入力された各種項目情報が撮影計画情報としてデータベース化され、保存される。次いで、設定画面においてデジカメ転送キーＲ３が押下されると、保存された撮影計画情報がクレードル３０を介してデジタルカメラ２０に送信される。
【００６３】
デジタルカメラ２０では、ＰＣ１０から送信された撮影計画情報が撮影計画テーブル２６１に格納されるとともに、この撮影計画情報に基づいて工程毎にその工程の撮影計画を示す撮影計画画像の画像ファイルが作成され、記憶部２６に格納される。そして、操作メニューとして準備されている各種メニューのうち、撮影計画された各工程の中から撮影対象の工程を選択する工程選択メニューが選択されると、工程選択モードへ移行し、撮影計画情報に基づいてこれから画像を撮影する工程（以下、撮影工程という。）を選択する工程選択画面が表示部２３に表示される。
【００６４】
図８に、工程選択画面例を示す。
図８に示すように、工程選択画面ｄ１では撮影計画で設定された工程のうち、任意の一工程に対応する撮影計画画像が表示され、その画面右上にはその工程番号Ｎが表示される。この工程選択画面は、左右のカーソルキーｋ３の操作により工程を切り換えることができ、撮影対象の工程に応じた撮影計画画像を表示させることで撮影工程を指定することができる。例えば、左のカーソルキーｋ３の押下により現在表示中の工程番号Ｎの前の工程番号Ｎ―１の撮影計画画像が表示された工程選択画面ｄ２が表示される。また、右のカーソルキーｋ３の押下により現在表示中の工程番号の次の工程番号Ｎ＋１の撮影計画画像が表示された工程選択画面ｄ３が表示される。
【００６５】
オペレータは、工程選択画面で表示された撮影計画画像を確認しながら、左右のカーソルキーｋ３を操作してこれから撮影する工程に応じた工程選択画面を表示部２３に表示させ、続いてＳＥＴキーｋ５を押下する。
デジタルカメラ２０では、ＳＥＴキーｋ５の押下により現在表示中の工程選択画面における工程番号が撮影工程の工程番号であるとしてＲＡＭ２５に一時記憶されて、ＲＥＣモードに移行する。
【００６６】
次に、図９を参照して、ＲＥＣモードにおいてデジタルカメラ２０で実行される撮影処理を説明する。
図９に示す撮影処理では、まずシャッターキーｋ２が押下されたか否かが判別される（ステップＡ１）。シャッターキーｋ２が押下されていない場合（ステップＡ１；Ｎ）、本処理を終了し、シャッターキーｋ２が押下された場合（ステップＡ１；Ｙ）、撮影部２７により撮影が行われ（ステップＡ２）、撮影画像の画像データが生成される。
【００６７】
次いで、現在撮影工程として設定されている工程番号（以下、撮影工程番号という。）がＲＡＭ２５から取得されると（ステップＡ３）、生成された撮影画像の画像ファイルが画像メモリ２８に新規作成されてその画像データが記録されるとともに、取得された撮影工程番号Ｎの情報がその画像ファイルに記録される（ステップＡ４）。またこのとき、撮影工程番号Ｎの情報とともに、フラッシュの有無、ホワイトバランス値、露光スピード等の撮影条件や、撮影日時等の各種撮影に関する情報が画像ファイルに記録されることとする。撮影画像等が画像ファイルに記録されると、本処理を終了する。
【００６８】
次に、図１０及び図１１を参照して、撮影後に、指示に応じて撮影画像における撮影状況を表示する画像チェック処理について説明する。図１０は画像チェック処理を説明するフローチャートであり、図１１は画像チェック処理において表示部２３に表示される画面遷移を示す図である。
【００６９】
なお、説明の前提として、予めモードキーによりＰＬＡＹモードに設定されており、図１１（ａ）に示す撮影画像ｐ１が表示されているものとする。撮影画像ｐ１上には、その撮影画像の画像ファイルが格納されるフォルダ名ｆ１、その画像ファイル名ｆ２、撮影画像のピクセル数ｆ３、撮影日時ｆ４等が画像ファイルから読み出されて表示される。
【００７０】
図１０に示す撮影状況通知処理では、まずキー入力が待機され（ステップＢ１）、ＳＥＴキーｋ５が押下されたか否かが判別される（ステップＢ２）。ＳＥＴキーｋ５が押下された場合（ステップＢ２；Ｙ）、現在表示部２３に表示中の撮影画像ｐ１の画像ファイルから当該撮影画像の撮影工程を特定する撮影工程番号Ｎが取得される（ステップＢ３）。
【００７１】
次いで、撮影工程番号Ｎに対応する工程番号の撮影計画画像が記憶部２６から取得されると（ステップＢ４）、撮影状況をチェックする際のチェック表示モードが、撮影計画画像を表示する撮影計画表示モードと、撮影工程番号のみを表示する工程番号表示モードの何れに設定されているかが判別される（ステップＢ５）。なお、チェック表示モードは予めユーザの初期設定により撮影計画表示モード又は工程番号表示モードの何れかに設定されているものとする。
【００７２】
撮影計画表示モードが設定されている場合（ステップＢ５；撮影計画表示モード）、図１１（ａ）に示すように、表示部２３に表示されていた撮影画像ｐ１が、取得された撮影計画画像が全面表示されたチェック画面ｄ４１に切り換えて表示される（ステップＢ６）。チェック画面ｄ４１上には、その撮影工程の区分、工種、種別、項目、時期の撮影工程を特定する各種撮影計画情報が表示されており、画面右上にはその撮影工程番号Ｎが表示される。
【００７３】
なお、チェック画面ｄ４１は図１１（ａ）に示すように、表示画面全面に表示して撮影計画を視覚的に確認しやすくすることとしてもよいし、図１１（ｂ）に示すように、撮影計画画像を表示画面の１／４程度のサイズとなるように縮小して撮影画像ｐ１上に重ねて表示したチェック画面ｄ５に切り換えることにより、撮影画像と撮影計画画像の両方を一度に確認できるようにすることとしてもよい。
【００７４】
一方、工程番号表示モードが設定されている場合（ステップＢ５；工程番号表示モード）、図１１（ａ）に示すように、表示部２３に表示されていた撮影画像ｐ１上に取得された撮影工程番号Ｎが表示されたチェック画面ｄ４２が表示される（ステップＢ７）。
【００７５】
各チェック表示モードに応じたチェック画面が表示されると、続いてキー入力が待機され（ステップＢ８）、何れかのキーが操作されるとキー入力はＳＥＴキーｋ５によるキー入力か否かが判別される（ステップＢ９）。キー入力がＳＥＴキーｋ５によるものではない場合（ステップＢ９；Ｎ）、キーに応じた処理へ移行し、キー入力がＳＥＴキーｋ５によるものである場合（ステップＢ９；Ｙ）、ＰＬＡＹモードに戻り、チェック画面の表示前に表示されていた撮影画像ｐ１が再度表示部２３に表示される（ステップＢ１０）。撮影画像ｐ１を表示後は、ステップＢ１の処理に戻る。
【００７６】
次に、図１２及び図１３を参照して、撮影計画された工程における撮影状況を表示する工程チェック処理を説明する。図１２は工程チェック処理を説明するフローチャートであり、図１３は工程チェック処理において表示部２３に表示される画面遷移を示す図である。
【００７７】
なお、説明の前提として、操作メニューから工程チェックモードが設定されており、図１３に示すようにユーザにより指定された特定工程の撮影計画画像が表示された撮影計画画面ｄ７が表示部２３に表示されていることとする。
【００７８】
図１２に示す工程チェック処理では、キー入力が待機され（ステップＣ１）、何れかのキーが操作されるとキー入力はＤＩＳＰキーｋ６によるキー入力であるか否かが判別される（ステップＣ２）。ＤＩＳＰキーｋ６による入力ではない場合（ステップＣ２；Ｎ）、入力キーに応じた処理へ移行し、ＤＩＳＰキーｋ６による入力である場合（ステップＣ２；Ｙ）、図１３に示すように、撮影計画画面ｄ７上に処理中である旨を通知するメッセージが重ねられた通知画面ｄ８が表示される（ステップＣ３）。
【００７９】
次いで、カウントテーブル２５１が初期化され、各工程に対してカウントされていた撮影画像のカウントが０にリセットされる（ステップＣ４）。次いで、記憶部２６に格納されている画像ファイル群が順に読み出されて（ステップＣ５）、画像ファイルに記録されている撮影工程番号Ｎが読み出される（ステップＣ６）。そして、カウントテーブル２５１においてその工程番号Ｎのカウント数が＋１だけインクリメントされる（ステップＣ７）。
【００８０】
次いで、全ての画像ファイルが読み出されたか否かが判別される（ステップＣ８）。まだ読み出されていない画像ファイルが有る場合は（ステップＣ８；Ｙ）、ステップＣ５の処理に戻って順次、画像ファイルから工程番号Ｎの読み出しが繰り返され、撮影画像のカウントが行われる。一方、全ての画像ファイルが読み出され、カウントテーブル２５１における各工程のカウント数が書き込まれた場合（ステップＣ８；Ｙ）、カウントテーブル２５１における各工程のカウント数が順にサーチされ、カウント数が１以上の工程の数、つまり撮影済みの工程数Ｍがカウントされる（ステップＣ９）。
【００８１】
次いで、カウントテーブル２５１又は撮影計画テーブル２６１から撮影計画された全工程数Ｓが取得されると（ステップＣ１０）、カウントテーブル２５１からＤＩＳＰキーｋ６押下時に表示されていた撮影計画画面の工程番号に対応するカウント数が読み出され、その工程における撮影画像数Ｇとして設定される（ステップＣ１１）。
【００８２】
撮影済み工程数Ｍ、全工程数Ｓ、ＤＩＳＰキーｋ６押下時に表示されていた撮影計画画像の工程における撮影画像数Ｇが取得されると、図１３に示すように、撮影計画画像の下部に、撮影画像数Ｇ及び全工程数Ｓに対する撮影済み工程数Ｍの割合Ｍ／Ｓが示された状況通知画面ｄ９が表示される（ステップＣ１２）。
【００８３】
次いで、キー入力が待機され（ステップＣ１３）、キー入力は何れのキー操作によるものかが判別される（ステップＣ１４）。左のカーソルキーｋ３によるキー入力であった場合（ステップＣ１４；左カーソルキー）、図１３に示すように、現在表示中の撮影計画画面ｄ９の前の工程における撮影計画画像が表示された撮影計画画面ｄ１０が表示されるとともに、その工程における撮影画像数Ｇがカウントテーブル２５１から読み出されて割合Ｍ／Ｓとともに撮影計画画面ｄ１０上に表示される（ステップＣ１５）。表示後は、ステップＣ１１の処理に戻る。
【００８４】
また、右のカーソルキーｋ３によるキー入力であった場合（ステップＣ１４；右カーソルキー）、現在表示中の撮影計画画面ｄ９の次の工程における撮影計画画像が表示された撮影計画画面ｄ１１が表示されるとともに、その工程における撮影画像数Ｇがカウントテーブル２５１から読み出されて割合Ｍ／Ｓとともに撮影計画画面ｄ１１上に表示される（ステップＣ１６）。表示後は、ステップＣ１１の処理に戻る。
【００８５】
一方、ＳＥＴキーｋ５によるキー入力であった場合（ステップＣ１４；ＳＥＴキー）、撮影モードに移行する。
【００８６】
このようにして、撮影状況をチェック後、一連の工程で撮影が終了したので撮影画像をＰＣ１０に転送する、或いは撮影が途中であるが一旦撮影画像をＰＣ１０に転送する場合は、デジタルカメラ２０をクレードル３０に装着する。デジタルカメラ２０では、記憶部２６に格納されている撮影画像の画像ファイル群がＰＣ１０に転送され、ＰＣ１０では当該転送された撮影画像の画像ファイル群が保存される。その後、ＰＣ１０において撮影画像を用いて工事写真アルバムを作成することが可能となる。
【００８７】
以上のように、第１の実施の形態によれば、デジタルカメラ２０では、ＰＣ１０で作成された撮影計画情報に基づいて撮影計画画像が作成され、撮影前には撮影計画画像が選択可能に表示されて、この撮影計画画像により選択された工程の工程番号が、撮影後に撮影画像ファイルに記録されて撮影計画情報と対応付けられる。
【００８８】
そして、撮影画像表示中に、ＳＥＴキーｋ５の押下による指示に応じてその撮影画像ファイルに撮影工程番号Ｎが記録されていればその撮影工程番号Ｎに対応する撮影計画画像が表示されるので、オペレータは、撮影画像が一連の工程のうち、何れかの工程で既に撮影済みであることを確認することができる。従って、撮影画像に対する撮影状況を容易に把握することができ、一連の工程における撮影漏れを防止することができる。
【００８９】
また、各工程の撮影計画画像を表示中に、ＤＩＳＰキーｋ６押下による指示に応じて各工程における撮影画像数がカウントされ、カウントされた撮影画像数に基づいて、全工程における撮影済み工程の割合が表示されるので、オペレータは全工程における未撮影の工程の有無を確認することができる。
【００９０】
さらに、カウントされた撮影画像数に基づいて、各工程における撮影画像数がその工程の撮影計画画像とともに表示されるので、オペレータは各工程における撮影画像数を容易に確認することができ、所定枚数だけ撮影を行ったか否か等、撮影漏れを判断することができる。
【００９１】
従って、撮影計画された工程に対する撮影状況を容易に把握することができ、撮影漏れを防止することができる。
【００９２】
〈第２の実施の形態〉
第１の実施の形態では、撮影画像における撮影状況の表示、撮影計画された工程における撮影状況の表示を各操作メニューから行うこととしたが、第２の実施の形態では、特定キーの押下により、撮影画像における撮影状況の表示と工程における撮影状況の表示とを切換可能にした例を説明する。
【００９３】
まず、構成について説明するが、第２の実施の形態における撮影システム、ＰＣ、撮影装置であるデジタルカメラの構成は、第１の実施の形態における撮影システム１００、ＰＣ１０、デジタルカメラ２０と同一の構成であるので、ここでは図示を省略し、異なる機能部分についてのみ説明する。
【００９４】
すなわち、第２の実施の形態における撮影システム１００は、ＰＣ１０、デジタルカメラ２０から構成され、クレードル３０により相互にデータ通信が可能に接続されている。また、デジタルカメラ２０は、ＣＰＵ２１、入力部２２、表示部２３、Ｉ／Ｆ２４、ＲＡＭ２５、記憶部２６、撮影部２７、画像メモリ２８から構成される。
【００９５】
第２の実施の形態において、デジタルカメラ２０のＣＰＵ２１は、後述する画像チェック処理（図１４参照）中にＤＩＳＰキーｋ６が押下されると、工程チェック処理（図１５参照）に移行し、工程チェック処理において撮影計画画面表示中にＳＥＴキーｋ５が押下される、或いはチェック画面表示中にＤＩＳＰキーｋ６が押下されると画像チェック処理に移行する。
【００９６】
次に、第２の実施の形態における動作について説明する。
第１の実施の形態では、ＰＬＡＹモードにおいて撮影画像に対する撮影状況を表示する画像チェック処理（図１０参照）が実行され、工程チェックモードにおいて工程に対する撮影状況を表示する工程チェック処理（図１２参照）が実行されて撮影モードへ移行するという、各処理がそれぞれ別タスクとして独立して実行される例を説明したが、第２の実施の形態では、ＰＬＡＹモードにおける画像チェック処理中に、特定キーによる指示入力が行われると、工程チェック処理が割り込みで実行され、撮影モードに移行することができる例を説明する。
【００９７】
撮影システム１００における全体的な流れは、第１の実施の形態で説明したものと同様であり、まずＰＣ１０において撮影計画情報が作成されてその撮影計画情報がデジタルカメラ２０に転送される。デジタルカメラ２０では、撮影計画情報が保存され、撮影画像の記録時にはこの撮影計画情報に基づいて、撮影画像の画像ファイルにその撮影工程の工程番号が記録される。そして、撮影が終了すると、各撮影画像の画像ファイル群がＰＣ１０に転送され、ＰＣ１０において一連の工程における工事写真アルバムを作成することが可能となる。
【００９８】
ＰＣ１０からデジタルカメラ２０に撮影計画情報が転送されるまでの処理、デジタルカメラ２０における撮影処理については、第１の実施の形態における処理と同様であるので、その説明を省略し、以下、図１４〜図１６を参照して第２の実施の形態における画像チェック処理、工程チェック処理について説明する。
【００９９】
図１４は第２の実施の形態における画像チェック処理を説明するフローチャートであり、図１５は第２の実施の形態における工程チェック処理を説明するフローチャートであり、図１６は当該画像チェック処理及び工程チェック処理において、表示部２３に表示される画面遷移を示す図である。
【０１００】
図１４に示す画像チェック処理において、ステップＢ１〜ステップＢ８までの処理は、第１の実施の形態における画像チェック処理（図１０参照）のステップＢ１〜ステップＢ８までの処理と同様であるので、ここでは説明を省略する。
【０１０１】
すなわち、ＰＬＡＹモードにおいて図１６に示すような撮影画像ｐ１を表示中にＳＥＴキーｋ５が押下されると、その撮影画像ｐ１の撮影工程番号Ｎが画像ファイルから取得され、予め設定されているチェック表示モードに応じてその撮影工程番号Ｎに対応する撮影計画画像が表示されたチェック画面ｄ４１、或いは撮影工程番号Ｎが表示されたチェック画面が表示される。表示後は、キー入力が待機される。
【０１０２】
次いで、図１４に示すステップＢ９１の処理から説明する。
ステップＢ９１では、キー操作により入力されたキーの判別が行われる。ＳＥＴキーｋ５によるキー入力である場合（ステップＢ９１；ＳＥＴキー）、ＰＬＡＹモードに戻り、撮影画像ｐ１が再表示されて（ステップＢ１０）、ステップＢ１の処理に戻る。一方、ＤＩＳＰキーｋ６によるキー入力である場合（ステップＢ９１；ＤＩＳＰキー）、図１５に示すステップＣ３の処理に移行する。
【０１０３】
次に、図１５に示す工程チェック処理について説明する。なお、説明の前提として、工程チェックモードが設定され、表示部２３には図１６に示す撮影計画画面ｄ４１が表示されているものとする。
【０１０４】
まず、ステップＣ１ではキー入力が待機され、キー操作が行われると、入力されたキーが判別される（ステップＣ２１）。ＳＥＴキーｋ５によるキー入力である場合（ステップＣ２１；ＳＥＴキー）、ＰＬＡＹモードに移行し、図１６に示すように撮影画像ｐ１が表示されると（ステップＣ２２）、図１４に示す画像チェック処理におけるステップＢ３の処理に移行し、撮影画像に対する撮影状況の表示が行われる。一方、ＤＩＳＰキーｋ６によるキー入力である場合（ステップＣ２１；ＤＩＳＰキー）、ステップＣ３の処理に移行する。
【０１０５】
図１５に示す工程チェック処理におけるステップＣ３〜ステップＣ１３までの処理は、第１の実施の形態における工程チェック処理（図１２参照）のステップＣ３〜ステップＣ１３までの処理と同様であるので、ここでは説明を省略する。
【０１０６】
すなわち、各撮影画像の画像ファイル群から撮影工程番号Ｎが読み出されてその撮影画像数がカウントテーブル２５１においてカウントされ、図１６に示すように、現在表示中の撮影計画画面の工程における撮影画像数Ｇと、全工程数Ｓに対する撮影済み工程数Ｍの割合Ｍ／Ｓが表示された状況通知画面ｄ９が表示される。
【０１０７】
次いで、キー入力が待機され（ステップ１３）、キー操作により入力されたキーがカーソルキーｋ３であるか否かが判別される（ステップＣ１４１）。左カーソルキーｋ３による入力である場合（ステップＣ１４１；左カーソルキー）、現在表示中の撮影計画画像の一つ前の工程番号の撮影計画画像が表示された状況通知画面ｄ１０が表示される（ステップＣ１５）。そして、ステップＣ１１の処理に戻って、新たに表示された工程番号の撮影画像数Ｇが取得されて図１６に示すように、状況通知画面ｄ１０上に表示される。
【０１０８】
右カーソルキーｋ３による入力である場合（ステップＣ１４１；右カーソルキー）、現在表示中の撮影計画画像の一つ後の工程番号の撮影計画画像が表示される（ステップＣ１６）。そして、ステップＣ１１の処理に戻って、表示された工程番号の撮影画像数Ｇが取得されて図１６に示すように、状況通知画面ｄ１１上に表示される。
【０１０９】
一方、キー入力がカーソルキーｋ３ではない場合（ステップＣ１４１；Ｎ）、キー入力はＳＥＴキーｋ５、ＤＩＳＰキーｋ６の何れによる入力であったか否かが判別される（ステップＣ１７）。ＳＥＴキーｋ５による入力であった場合（ステップＣ１７；ＳＥＴキー）、撮影モードに移行し、ＤＩＳＰキーｋ６による入力であった場合（ステップＣ１７；ＤＩＳＰキー）、ＰＬＡＹモードに移行して図１６に示すように、撮影画像ｐ１が表示され（ステップＣ１８）、図１４に示す画像チェック処理におけるステップＢ３の処理へ移行して撮影画像に対する撮影状況の表示が行われる。
【０１１０】
このようにして撮影状況をチェック後、デジタルカメラ２０で記録されている撮影画像をＰＣ１０に転送する場合は、デジタルカメラ２０をクレードル３０に装着する。デジタルカメラ２０では、記憶部２６に格納されている撮影画像の画像ファイル群がＰＣ１０に転送され、ＰＣ１０では当該転送された撮影画像の画像ファイル群が保存される。その後、ＰＣ１０において撮影画像を用いて工事写真アルバムを作成することが可能となる。
【０１１１】
以上のように、第２の実施の形態によれば、デジタルカメラ２０では、ＰＣ１０で作成された撮影計画情報に基づいて撮影計画画像が作成され、撮影前に予め撮影する工程を示す撮影計画画像を選択しておくことにより、撮影後にその撮影画像と選択された撮影計画画像の工程における撮影計画情報が対応付けて画像ファイルに格納される。
【０１１２】
そして、撮影画像表示中に、ＳＥＴキーｋ５押下による指示に応じてその撮影画像に撮影計画情報が対応付けられていればその撮影された工程を示す撮影計画情報が表示されるので、オペレータは、撮影画像が一連の工程のうち、何れかの工程で既に撮影済みであることを確認することができる。従って、撮影画像に対する撮影状況を容易に把握することができ、一連の工程における撮影漏れを防止することができる。
【０１１３】
また、工程チェックモードでは、ＤＩＳＰキーｋ６押下による指示に応じて各工程における撮影画像数がカウントされ、カウントされた撮影画像数に基づいて、全工程における撮影済みの工程の割合Ｍ／Ｓが表示されるので、オペレータは全工程における未撮影の工程の有無を確認することができる。
【０１１４】
さらに、カウントされた撮影画像数に基づいて、各工程における撮影画像数Ｇがその工程の撮影計画画像とともに表示されるので、オペレータは各工程における撮影画像数を容易に確認することができ、所定枚数だけ撮影を行ったか否か等、撮影漏れを判断することができる。
【０１１５】
従って、撮影計画された工程に対する撮影状況を容易に把握することができ、撮影漏れを防止することができる。
【０１１６】
また、第２の実施の形態では、画像チェック処理において撮影画像に対する撮影状況としてその撮影画像の撮影工程番号に対応する撮影計画情報が表示されている間にＤＩＳＰキーｋ６が押下されると、工程チェック処理に移行して工程に対する撮影状況として、各工程における撮影画像数、全工程に対する未撮影工程数の割合が表示されるので、簡単な操作で撮影画像に対する撮影状況及び撮影計画された工程に対する撮影状況を容易にチェックすることが可能となり、利便性が良い。
【０１１７】
さらに、ＰＬＡＹモードで開始された画像チェック処理から工程チェック処理に移行した場合、キー操作によりそのまま撮影モードへ移行することができるので、モードを切り換える操作が不要となり、利便性が高い。
【０１１８】
〈第３の実施の形態〉
第３の実施の形態では、工程チェックモードにおいて特定キーが押下されると、撮影計画された各工程における撮影画像数をカウントし、全工程のうち未撮影の工程が有るか否か、ある特定の工程において撮影済みか否かを判別して工程に対応する撮影状況として表示する例を説明する。
【０１１９】
まず、構成について説明するが、第３の実施の形態における撮影システム、ＰＣ、撮影装置であるデジタルカメラの構成は、第１の実施の形態における撮影システム１００、ＰＣ１０、デジタルカメラ２０と同一の構成であるので、ここでは図示を省略し、異なる機能部分についてのみ説明する。
【０１２０】
すなわち、第３の実施の形態における撮影システム１００は、ＰＣ１０、デジタルカメラ２０から構成され、クレードル３０により相互にデータ通信が可能に接続されている。また、デジタルカメラ２０は、ＣＰＵ２１、入力部２２、表示部２３、Ｉ／Ｆ２４、ＲＡＭ２５、記憶部２６、撮影部２７、画像メモリ２８から構成される。
【０１２１】
第３の実施の形態において、デジタルカメラ２０のＣＰＵ２１は、全工程チェック処理プログラム（図１７参照）及び現在工程チェック処理プログラム（図１９参照）を記憶部２６から読み出して、これらプログラムとの協働により処理動作を統括的に制御する。
【０１２２】
全工程チェック処理では、撮影画像の画像ファイル群を読み出して各工程における撮影画像数をカウントし、カウントテーブル２５１にそのカウント数を書き込む。そして、全ての工程において撮影画像が１枚以上カウントされていれば全工程において撮影済みである旨を通知するメッセージを作成して表示部２３に表示させる。一方、撮影画像が１枚以上カウントされていない、つまり撮影画像数が０の工程があれば、未撮影工程が有る旨を通知するメッセージを作成して表示部２３に表示させるとともに、その未撮影工程の合計工程数及びそれらの工程番号を表示させる。
【０１２３】
一方、現在工程チェック処理では、撮影画像の画像ファイル群を読み出して現在表示中の撮影計画画像の工程番号に対応する撮影画像数をカウントし、カウントテーブル２５１にそのカウント数を書き込む。そして、その工程において撮影画像が１枚以上カウントされていれば当該工程では撮影済みである旨を通知するメッセージを作成してカウントされた撮影画像数とともに表示部２３に表示させる。一方、その工程のおいて撮影画像が１枚以上カウントされていない、つまり撮影画像数が０であれば、撮影が行われていない旨を通知するメッセージを作成し、表示部２３に表示させる。
【０１２４】
すなわち、全工程チェック処理プログラム及び現在工程チェック処理と、ＣＰＵ２１との協働により、制御手段を実現することができる。
【０１２５】
記憶部２６は、全工程チェック処理プログラム及び現在工程チェック処理プログラムを記憶する。
【０１２６】
次に、第３の実施の形態における動作について説明する。
撮影システム１００における全体的な流れは、第１の実施の形態で説明したものと同様であり、まずＰＣ１０において撮影計画が作成されてその撮影計画情報がデジタルカメラ２０に転送される。デジタルカメラ２０では、撮影計画情報が保存され、撮影画像の記録時にはこの撮影計画情報に基づいて、撮影画像の画像ファイルにその撮影工程の工程番号が記録される。そして、撮影が終了すると、その撮影画像の画像ファイルがＰＣ１０に転送され、ＰＣ１０において一連の工程における工事写真アルバムを作成することが可能となる。
【０１２７】
ＰＣ１０からデジタルカメラ２０に撮影計画情報が転送されるまでの処理、デジタルカメラ２０における撮影処理については、第１の実施の形態における処理と同様であるので、その説明を省略し、以下、図１７〜図２０を参照して第３の実施の形態で特徴的な全工程チェック処理、現在工程チェック処理について説明する。
【０１２８】
図１７は全工程チェック処理を説明するフローチャートであり、図１８の全工程チェック処理で表示部２３に表示される画面遷移を示す図である。また、図１９は、現在工程チェック処理を説明するフローチャートであり、図２０は現在工程チェック処理において表示部２３に表示される画面遷移を示す図である。
【０１２９】
まず、図１８に示すように、工程選択メニューにおいて、撮影計画された各工程の撮影計画画像が表示された撮影計画画面ｄ３１によりユーザが撮影計画を確認中にＤＩＳＰキーｋ６を押下すると、デジタルカメラ２０では、撮影状況をチェックする工程チェックモードに移行し、表示部２３にはチェックメニューの選択画面ｄ３２が表示される。選択画面ｄ３２では、全工程に対する撮影状況をチェックする全工程チェックメニューと、ＤＩＳＰキーｋ６押下時に表示されていた撮影計画画像工程に対する撮影状況をチェックする現在工程チェックメニューとが選択可能に表示される。
【０１３０】
この選択画面ｄ３２において、全工程チェックメニューが選択されると、図１７に示す全工程チェック処理が実行され、現在工程チェックメニューが選択されると、図１９に示す現在工程チェック処理が実行される。
【０１３１】
まず図１７及び図１８を参照して全工程チェック処理について説明する。
図１７に示す全工程チェック処理では、まずカウントテーブル２５１が初期化され、各工程に対してカウントされていた撮影画像のカウントが０にリセットされる（ステップＤ１）。次いで、記憶部２６に格納されている画像ファイル群が順に読み出されて（ステップＤ２）、画像ファイルに撮影工程の工程番号が記録されていればその工程番号Ｎが読み出される（ステップＤ３）。そして、カウントテーブル２５１においてその工程番号Ｎのカウント数が＋１だけインクリメントされる（ステップＤ４）。
【０１３２】
次いで、全ての画像ファイルが読み出されたか否かが判別される（ステップＤ５）。まだ読み出されていない画像ファイルが有る場合は（ステップＤ５；Ｎ）、ステップＣ５の処理に戻って順次、画像ファイルから工程番号Ｎの読み出しが繰り返され、撮影画像数がカウントされる。一方、全ての画像ファイルが読み出され、カウントテーブル２５１における各工程のカウント数が書き込まれた場合（ステップＤ５；Ｙ）、カウントテーブル２５１における各工程のカウント数が順にサーチされ、カウント数が０の工程の工程番号Ｈが抽出される（ステップＤ６）。
【０１３３】
次いで、カウントテーブル２５１におけるカウント数０の工程の有無により、全工程について撮影済みか否かが判別され（ステップＤ７）、カウント数０の工程が無い場合は（ステップＤ７；Ｙ）、全工程について撮影済みであるとして、図１８に示すように、撮影済みである旨を通知するメッセージｍ１が表示された状況通知画面ｄ３３が表示され（ステップＤ８）、本処理を終了する。
【０１３４】
一方、カウントテーブル２５１におけるカウント数０の工程が有る場合（ステップＤ７；Ｎ）、未撮影の工程が有るとして、図１８に示すように、未撮影の工程が有る旨を通知するメッセージｍ２とともに、その未撮影の工程、つまりステップＤ６で抽出されたカウント数０の合計工程数ｍ３及びその工程番号Ｈ（例えば、００５、００９、０１４・・・）が表示された状況通知画面ｄ３４が表示される（ステップＤ９）。表示後、本処理を終了する。なお、状況通知画面ｄ３４において工程番号Ｈ等が表示領域を超えて表示しきれない場合、スクロール表示により工程番号Ｈ等を確認できる画面構成とする。
【０１３５】
次に、図１９及び図２０を参照して現在工程チェック処理について説明する。
図１９に示す現在工程チェック処理では、まずＤＩＳＰキーｋ６押下時に撮影計画画面ｄ３１で表示されていた撮影計画画像の工程番号Ｊが取得される（ステップＥ１）。次いで、カウントテーブル２５１が初期化され、各工程に対してカウントされていた撮影画像のカウントが０にリセットされる（ステップＥ２）。次いで、記憶部２６に格納されている画像ファイル群が順に読み出されて（ステップＥ３）、画像ファイルに撮影工程の工程番号が記録されていればその工程番号Ｎが読み出される（ステップＥ４）。
【０１３６】
次いで、ステップＥ１で読み出された工程番号Ｊと、ステップＥ４で読み出された撮影工程番号Ｎとが比較され、一致するか否かが判別される（ステップＥ５）。工程番号Ｊと撮影工程番号Ｎとが一致する場合（ステップＥ５；Ｙ）、カウントテーブル２５１において工程番号Ｊのカウント数が＋１だけインクリメントされる（ステップＥ６）。
【０１３７】
次いで、全ての画像ファイルが読み出されたか否かが判別される（ステップＥ７）。まだ読み出されていない画像ファイルが有る場合は（ステップＥ７；Ｎ）、ステップＣ５の処理に戻って順次、画像ファイルから撮影工程番号Ｎの読み出しが繰り返され、工程番号Ｊの撮影画像数がカウントされる。一方、全ての画像ファイルが読み出され、カウントテーブル２５１における工程番号Ｊのカウントが終了した場合（ステップＥ７；Ｙ）、カウントテーブル２５１から現在工程、つまり工程番号Ｊのカウント数が読み出され、当該カウント数が１枚以上であるか否かにより、工程番号Ｊの工程は撮影済みであるか否かが判別される（ステップＥ８）。
【０１３８】
工程番号Ｊのカウント数が１枚以上である場合（ステップＥ８；Ｙ）、工程番号Ｊの工程は撮影済みであるとして、図２０に示すように、現在の工程が撮影済みであり、そのカウント数を撮影枚数として通知するメッセージｍ４が表示された状況通知画面ｄ３５が表示部２３に表示される（ステップＥ９）。表示後、本処理を終了する。
【０１３９】
一方、工程番号Ｊのカウント数が０である場合（ステップＥ８；Ｎ）、工程番号Ｊの工程は未撮影であるとして、図２０に示すように、現在の工程では撮影が行われていない旨を通知するメッセージｍ５が表示された状況通知画面ｄ３６が表示部２３に表示される（ステップＥ１０）。表示後、本処理を終了する。
【０１４０】
以上のように、第３の実施の形態によれば、工程チェックモードにおいてＤＩＳＰキーｋ６が押下されると、全工程に対する撮影状況をチェックする全工程チェックメニューと、ＤＩＳＰキーｋ６押下時に表示されていた現在工程に対する撮影状況をチェックする現在工程チェックメニューとが選択可能に表示される。
【０１４１】
そして、全工程チェックメニューが選択されると、撮影画像の画像ファイル群が順に読み出されてカウントテーブル２５１において各工程で撮影された撮影画像数がカウントされ、全工程のうち撮影画像が無い未撮影の工程が有る場合は未撮影の工程の合計数とその工程番号が表示され、全工程のうち未撮影の工程が無い場合は全工程について撮影済みである旨が表示されるので、オペレータは簡単なキー操作で全工程に対する撮影状況を容易に確認することができ、一連の工程における撮影漏れを防止することができる。
【０１４２】
また、現在工程チェックメニューが選択されると、撮影画像の画像ファイル群が順に読み出されてカウントテーブル２５１において現在工程で撮影された撮影画像数がカウントされ、現在工程において撮影画像が有る場合はその撮影画像数が表示され、撮影画像が無い場合は現在工程において未撮影である旨が表示されるので、オペレータは簡単なキー操作で特定工程に対する撮影状況を容易に確認することができ、各工程における撮影漏れを防止することができる。
【０１４３】
なお、本実施の形態における記述内容は、本発明を適用したデジタルカメラ２０の好適な一例であり、これに限定されるものではない。
【０１４４】
例えば、上記説明では、ＰＣ１０とデジタルカメラ２０とが別体構成としたが、デジタルカメラを搭載したカメラ一体型のコンピュータ、携帯電話、ＰＨＳであってもよい。
【０１４５】
また、上記実施の形態では、工事事業における一連の工程を撮影する例で説明したが、これに限らず、例えば結婚式等のイベントで式の初めから終わりまでの一連の工程を撮影する場合にも適用可能である。
【０１４６】
また、撮影画像を再生表示する際には、撮影順ではなく、工程順に撮影画像を表示するようにして、撮影されていない工程の順番がきたときには表示部２３に何も表示しない、或いは撮影されていない旨を通知するメッセージを表示する等して、撮影漏れを防止することとしてもよい。或いは、撮影されていない工程では、その工程で撮影される予定の撮影画像の画像ファイルのフォルダ名、ファイル名等を表示し、これらの文字の色を変える、サイズを変える、修飾する等して、撮影済みの工程とは異なる表示形態にして未撮影の工程であることを通知することとしてもよい。
【０１４７】
また、撮影状況を通知する際に、撮影計画テーブル２６１から各工程で指定されている撮影枚数の情報を読み出して、当該撮影枚数に達していない場合はその旨を警告することとしてもよい。これにより、オペレータは規定の撮影枚数を把握することができ、撮影漏れを防止することができる。
【０１４８】
また、まだ撮影画像が無く未撮影の工程が有る場合、撮影工程を選択する工程選択モード等において撮影モードに移行する際に、未撮影の工程が有る旨を通知することとしてもよい。これにより、オペレータは未撮影の工程が有ることを把握することができ、撮影漏れを防止することができる。
【０１４９】
その他、本実施の形態におけるデジタルカメラ２０の細部構成及び細部動作に関しても、本発明の趣旨を逸脱することのない範囲で適宜変更可能である。
【図面の簡単な説明】
【０１５０】
【図１】本発明を適用した第１〜第３の実施の形態における撮影システム１００のシステム構成を示す図である。
【図２】本発明に係るデジタルカメラ２０の内部構成を示す図ある。
【図３】デジタルカメラ２０の背面図である。
【図４】カウントテーブル２５１のデータ構成例を示す図である。
【図５】撮影計画テーブル２６１のデータ構成例及び撮影計画情報に基づいて作成された各工程に対応する撮影計画画像ファイルを示す図である。
【図６】撮影画像の画像ファイル群を示す図である。
【図７】ＰＣ１０において表示される撮影計画情報の作成画面例を示す図である。
【図８】工程選択モードにおいて表示部２３に表示される画面遷移図を示す図である。
【図９】デジタルカメラ２０により実行される撮影処理を説明するフローチャートである。
【図１０】デジタルカメラ２０により実行される画像チェック処理を説明するフローチャートを示す図である。
【図１１】画像チェック処理時に表示部２３に表示される画面の画面遷移を示す図である。
【図１２】デジタルカメラ２０により実行される工程チェック処理を説明するフローチャートである。
【図１３】工程チェック処理自己に表示部２３に表示される画面の画面遷移を示す図である。
【図１４】第２の実施の形態における画像チェック処理を説明するフローチャートである。
【図１５】第２の実施の形態における工程チェック処理を説明するフローチャートである。
【図１６】第２の実施の形態の画像チェック処理及び工程チェック処理において表示部２３に表示される画面の画面遷移を示す図である。
【図１７】第３の実施の形態におけるデジタルカメラ２０により実行される全工程チェック処理を説明するフローチャートである。
【図１８】全工程チェック処理において表示部２３に表示される画面の画面遷移を示す図である。
【図１９】第３の実施の形態におけるデジタルカメラ２０により実行される現在工程チェック処理を説明するフローチャートである。
【図２０】現在工程チェック処理において表示部２３に表示される画面の画面遷移を示す図である。
【符号の説明】
【０１５１】
１００    撮影システム
１０    ＰＣ
２０    デジタルカメラ
２１    ＣＰＵ
２２    入力部
２３    表示部
２４    Ｉ／Ｆ
２５    ＲＡＭ
２６    記憶部
２７    撮影部
２８    画像メモリ
３０    クレードル
【図１】
2005136697.tif 000003
【図２】
2005136697.tif 000004
【図３】
2005136697.tif 000005
【図４】
2005136697.tif 000006
【図５】
2005136697.tif 000007
【図６】
2005136697.tif 000008
【図７】
2005136697.tif 000009
【図８】
2005136697.tif 000010
【図９】
2005136697.tif 000011
【図１０】
2005136697.tif 000012
【図１１】
2005136697.tif 000013
【図１２】
2005136697.tif 000014
【図１３】
2005136697.tif 000015
【図１４】
2005136697.tif 000016
【図１５】
2005136697.tif 000017
【図１６】
2005136697.tif 000018
【図１７】
2005136697.tif 000019
【図１８】
2005136697.tif 000020
【図１９】
2005136697.tif 000021
【図２０】
2005136697.tif 000022